(57)【特許請求の範囲】
【請求項１】
ロール状に巻かれた被包装体を収納する容器本体と、該容器本体の後面壁の頂縁から回動可能に連設されている蓋体とを備える包装用容器において、
前記容器本体の前面壁が、前記容器本体の底面壁に一方の長縁が連設された第１壁体と、前記第１壁体の他方の長縁に連設された第２壁体であって、折り曲げられて前記第１壁体の裏面に接着された第２壁体とからなり、
前記第１壁体に、外側に突出される突出片となる突出片部分を画成する切り線が形成されており、
前記切り線の両端がそれぞれ前記第１壁体と前記第２壁体との間の折り線まで又は前記折り線を越えて前記第２壁体まで延びており、
前記蓋体の前記前面壁の先端縁に連設され且つ前記容器本体の前記前面壁に接着される切除可能な開封片を備え、
閉蓋状態において前記開封片が覆う前記第１壁体の部位であって、前記突出片部分に隣接する部位に、前記開封片に接着され該開封片と共に除去されるようミシン目により画成された切除部分が設けられており、
前記切除部分が前記突出片部分にミシン目を介して連設されていることを特徴とする、包装用容器。
【請求項２】
前記切り線が略Ｕ字状であることを特徴とする請求項１に記載の包装用容器。
【請求項３】
前記突出片部分が、前記容器本体の前記前面壁の長手方向中央部に画成されていることを特徴とする請求項１又は２に記載の包装用容器。
【請求項４】
前記蓋体の前記前面壁の先端縁部に被包装体切断用のカッターが設けられていることを特徴とする請求項１〜３のいずれか１項に記載の包装用容器。
【請求項５】
前記被包装体が樹脂製フィルムであることを特徴とする請求項１〜４のいずれか１項に記載の包装用容器。
【発明の詳細な説明】
【０００１】
【発明の属する技術分野】
本発明は、ロール状に巻かれた被包装体、例えばラップフィルムに代表される樹脂製フィルムや紙、アルミホイル等を包装するための包装用容器に関するものである。
【０００２】
【従来の技術】
従来から種々の型式のラップフィルムを包装するための容器が知られているが、その多くは厚紙製であり、ロール状に巻かれたラップフィルムを収納する容器本体と、この容器本体に一体的に設けられた蓋体とから構成されている。また、一般に、容器から引き出されたラップフィルムを切断するためのカッターが蓋体の前面壁の裏面に取り付けられている。
【０００３】
この種の容器を用いる場合、蓋体を持ち上げてラップフィルムの先端部を露出させる。そして、フィルム先端部を指で摘んで引き出した後、蓋体を閉じ、カッターにより、引き出したラップフィルムを切断するのである。
【０００４】
ラップフィルムの切断後、容器に残ったラップフィルムの先端部は蓋体の前面壁と容器本体の前面壁との間に配置されるが、容器本体の前面壁表面は平滑な面となっているため、フィルム先端部全体が容器本体の前面壁に密着した状態となることがある。
【０００５】
このようにフィルム先端部が容器本体の前面壁に密着したときには、フィルム先端部を指で摘むことが困難となる。特に、老人や目の不自由な者にとっては、フィルム先端部の位置を見出すことさえも困難である。従って、ラップフィルムの引出しに手間がかかるという問題がある。
【０００６】
かかる問題点に対しては、従来においては、実開平６−５１１２８号公報や特開平１１−５９６９０号公報等に記載されているように、容器本体の前面壁に切り線を入れ、外側に突出する突出片を形成したものが提案されている。図８に示す容器１がその一例であり、容器本体２の前面壁３の突出片４の存在によりラップフィルム５の先端部全体が前面壁３に密着することを防止することが可能となっている。
【０００７】
【発明が解決しようとする課題】
しかしながら、上述したような従来の容器においては、開封した後、突出片４を使用者が指等で押して外側に突出させる必要があり、面倒であった。
【０００８】
また、突出片４は、容器１の材料である厚紙（一般的にはコートボール紙）の性質から平坦な状態に戻ろうとするため、図８に示すようにゴム６を用いて突出状態を維持する必要がある（実開平６−５１１２８号公報参照）。ゴム６を容器１の製造工程で取り付けることは手間がかかり、製造コストを高めることとなり、また、使用者にゴムを取り付けることを要請することは好ましくない。
【０００９】
本発明はかかる事情に鑑みてなされたものであり、その主目的は、使用者の手を煩わせなくとも突出片が自動的に外側に突出するようにした包装用容器を提供することにある。
【００１０】
また、本発明の他の目的は、突出片の突出状態を維持できるようにすることにある。
【００１１】
【課題を解決するための手段】
上記目的を達成するために、本発明は、ロール状に巻かれたラップフィルム等の被包装体を収納する容器本体と、該容器本体の後面壁の頂縁から回動可能に連設されている蓋体とを備える包装用容器において、容器本体の前面壁が、容器本体の底面壁に一方の長縁が連設された矩形の第１壁体と、第１壁体の他方の長縁に連設された第２壁体であって、折り曲げられて第１壁体の裏面に接着された第２壁体とからなり、第１壁体に、外側に突出される突出片となる突出片部分を画成する切り線が形成されており、且つ、前記切り線の両端がそれぞれ第１壁体と第２壁体との間の折り線まで延びていることを特徴としている。切り線の形状としては、例えば略Ｕ字状のものがある。
【００１２】
かかる構成においては、第１壁体と第２壁体とが互いに平坦な状態に復帰しようとするため、両壁体の折り線まで延びている切り線により画成された突出片部分は、自然に外側に突出してその状態を維持し、ラップフィルム等の被包装体の先端部を浮き上がらせる突出片として機能する。
【００１３】
突出片部分は、容器本体の前面壁の長手方向中央部に画成されていることが好適である。突出片が設けられている場合、そこで被包装体を把持することとなるので、突出片が中央部にあれば、被包装体を把持する位置も被包装体の幅方向の中央部となり、片側での皺発生を抑制することが可能となるからである。
【００１４】
また、本発明は、蓋体の前面壁の先端縁部に被包装体切断用のカッターが設けられている場合に特に有効となるものである。かかる容器の場合、突出片が容器本体の前面壁により押し付けられ、前記機能により、元の位置に戻ろうとする動作を防止することができるからである。
【００１５】
更に、蓋体の前面壁の先端縁に連設され且つ容器本体の前面壁に接着される切除可能な開封片を備えている場合、閉蓋状態において開封片が覆う第１壁体の部位であって、突出片部分に隣接する部位に、開封片に接着され該開封片と共に除去されるようミシン目により画成された切除部分を設け、その切除部分が突出片部分にミシン目を介して連設されるよう構成することが有効である。開封片を切除する際、切除部分も第１壁体から切り離されるが、その時、突出片部分を外側に引き出す力が作用し、突出壁部分が確実に突出されることになる。
【００１６】
【発明の実施の形態】
以下、図面を参照して本発明の好適な実施形態について詳細に説明する。なお、本明細書において「上」と「下」なる語は図面に示す位置状態での上、下を言うものとする。
【００１７】
図１及び図２は、本発明に従ったラップフィルム包装用の容器の第１実施形態を示す斜視図であり、図１は開蓋状態、図２は閉蓋状態を示す図である。図示の容器１０は、１枚の厚紙、好ましくはコートボール紙から作られている。容器１０用の好ましいコートボール紙としては、例えば、表側から順に、印刷特性を向上させるための透明樹脂から成るコート層、透明漂白クラフトパルプから成る白色系の第１の表層、漂白クラフトパルプと脱インキパルプ（古紙の再生パルプ）とから成る白色系の第２の表層、及び古紙の再生パルプから成る古紙層を積層したものが知られている。このようなコートボール紙の場合、折り曲げても、平坦な状態に戻ろうとする特性がある。
【００１８】
図１に示すように、容器１０は、円筒状の紙管１２にロール状に巻き付けられたラップフィルム１４を収納するための容器本体１６と、この容器本体１６に一体的に連設された蓋体１８とから構成されている。閉蓋状態の容器１０の全体形状は図２に示す如く略直方体形状をなす。
【００１９】
容器本体１６の上部は、ラップフィルム１４を引き出すための開口部として開放されている。また、蓋体１８は、容器本体１６の後面壁２０の頂縁から連続して延び、容器本体１６に対して回動可能であり、容器本体１６の開口部を覆うことができるよう構成されている。蓋体１８の前面壁（以下「蓋体前面壁」という）２２の裏面には、引き出されたラップフィルム１４を切断するための鋸刃状のカッター２４が取り付けられている。図示実施形態においては、蓋体前面壁２２の先端縁はＶ字状をなし、その形状に合わせてカッター２４もＶ字状のものが用いられている。このようなＶ字状カッター２４を採用した容器１０の場合、図２に示すように、右手でフィルム先端部を把持し、左手の親指を蓋体前面壁２２の中央部にあてがった状態で容器１０を左手で握り、容器１０を前側、すなわち矢印Ａの方向にひねるのが、最も効率的なラップフィルム１４の切断方法となる。
【００２０】
なお、図１及び図２には示していないが、使用開始前にあっては、蓋体前面壁２２の先端縁には開封片がミシン目を介して連設されており、容器本体１６の前面壁（以下「本体前面壁」という）２６の表面に接着されている。この開封片により容器１０の封緘がなされ、カッター２４の刃が露出するのを防いでいる。使用時、開封片は除去される。
【００２１】
ここで、本体前面壁２６を展開した図３も参照して本体前面壁２６について更に詳細に説明する。本体前面壁２６は、容器本体１６の底面壁２８に一方の長縁が連接された矩形の第１壁体２６ａと、この第１壁体２６ａと折り線２７で連接された台形の第２壁体２６ｂとからなり、第１壁体２６ａを底面壁２８に対して直角に折り曲げると共に、第２壁体２６ｂを折り線２７に沿って１８０度折り曲げて第１壁体の裏面に接着剤で接着させることで構成されている。なお、符号２６ｃの部分は容器本体１６の側面壁３０に接着される部分である。
【００２２】
本体前面壁２６を構成する第１壁体２６ａの長手方向中央部であって、閉蓋状態の蓋体前面壁２２により覆われる部位には、略Ｕ字状の切り線３２が入れられている。より詳細には、切り線３２は、実質的に上下方向（第１壁体２６ａの短手方向）に延び且つ互いに所定の間隔をおいて配置された第１及び第２の切り線３２ａ，３２ｂと、これらの切り線３２ａ，３２ｂの下端（折り線２７から離れた側の端部）同士を繋ぐよう横方向に延びる第３の切り線３２ｃとから構成されている。略Ｕ字状の切り線３２の両端、すなわち第１及び第２の切り線３２ａ，３２ｂの上端は、折り線２７に達する位置まで、好ましくは折り線２７を越えて第２壁体２６ｂにまで入り込む位置まで延びている。また、図示実施形態では、第３の切り線３２ｃの中央部は折り線２７側に湾曲されている。この切り線３２で囲まれた部分（突出片部分）３４’は、本体前面壁２６の他の領域から外側に突出する突出片３４となるものである。このため、突出片部分３４’は第２壁体２６ｂとは接着されず、折り線２７を中心として回動可能とされている。
【００２３】
なお、本体前面壁２６の表面には、ラップフィルム１４の巻戻りを防止するための粘着層が設けられることが好適である。粘着層は、ラップフィルム１４の切断直後にフィルム先端部を剥離可能に保持することができるよう、閉蓋状態では蓋体前面壁２２により覆われる部位に形成される。図示実施形態の容器１０では、蓋体前面壁２２の中央部を押さえながらラップフィルム１４を切断するため、粘着層は、本体前面壁２６の中央部、従って突出片３４の表面に設けることが好ましい。
【００２４】
上述したような構成において、封緘された容器１０を使用者が使用する場合、まず開封片（図１及び図２には示さず）を蓋体前面壁２２から除去して、蓋体１８を開くと、第１壁体２６ａの切り線３２に囲まれた突出片部分３４’が自動的に外側に突出する。この動作が得られる理由は次の通りである。
【００２５】
第２壁体２６ｂを折り線２７に沿って第１壁体２６ａの裏面側に折り曲げた場合、突出片部分３４’と第１壁体２６ａの他の領域とは切り線３２により分離されているため、突出片部分３４’は第２壁体２６ｂと同一平面となる。実際には、突出片部分３４’も第１壁体２６ａの他の領域と共に折り曲げられるが、容器１０を構成するコートボール紙は復元性があるため、突出片部分３４’は第２壁体２６ｂと平行となろうとする。このため、突出片部分３４’は、図４の矢印Ｂ方向への力が作用し、蓋体前面壁２２による拘束がなくなった時点で突出し、突出片３４として機能するようになる。
【００２６】
これによって、ラップフィルム１４の先端部の一部が突出片３４によって本体前面壁２６の他の領域から浮き上がった状態となり、使用者は容易にラップフィルム１４を把持することが可能となる。なお、第３の切り線３２ａが湾曲され、突出片３４の下縁に上向きの凹部３６が形成されているが、この凹部３６の存在により、指を突出片３４の下側に挿入しやすくなり、これによってラップフィルム１４の把持がより一層容易化される。
【００２７】
また、突出片３４が本体前面壁２６の長手方向中央部に配置されていることから、ラップフィルム１４の幅方向の中央部を摘むことになるので、ラップフィルム１４の片側に皺がよるという弊害が生じにくくなるという効果も得られる。
【００２８】
ラップフィルム１４の先端部を把持したならば、所望の長さを引き出し、図２に示すように、蓋体１８をしっかりと閉じ、容器１０を持っている手の親指で蓋体前面壁２２の中央部を押さえ、容器１０を前方にひねってカッター２４によりラップフィルム１４を切断する。この時、蓋体前面壁２２を介して突出片３４が容器内側に押し戻されるが、開蓋状態とすれば再び外側に突出し、ラップフィルム１４の先端部を浮き上がらせることができる。
【００２９】
図５〜図７は、本発明の第２実施形態を示している。この第２実施形態に係る包装用容器１００は、開封片５０の除去に伴って突出片部分３４’を強制的に外側に突出させるようになっている点で、第１実施形態とは異なっている。その他の点では、第１実施形態と実質的に同一であるので、同一又は相当部分には同一符号を付し、その詳細な説明は省略する。
【００３０】
第２実施形態に係る容器１００には、第１壁体２６ａに開封片５０と共に切除される切除部分５２が設けられる。この切除部分５２は、突出片部分３４’の下側の隣接部位であって、封緘状態における開封片５０が覆う部位に設けられており、ミシン目５４により画成されている。また、切除部分５２は突出片部分３４’とミシン目５６を介して連設されている。更に、切除部分５２は封緘状態の開封片５０の裏面に接着剤により接着されている。
【００３１】
このような構成においては、使用開始するために開封片５０を除去すると、開封片５０と共に切除部分５２も引っ張られ、第１壁体２６ａから除去される。この際、切除部分５２はミシン目５６により突出片部分３４’の下縁と接合されているため、切除部分５２が除去されると、突出片部分３４’も図７の矢印Ｃ方向に引かれることになり、これにより、開封と同時に突出片部分３４’が外側に引き出され、突出片３４を構成することになる。この構成では、何らかの原因で突出片部分３４’が第１壁体２６ａの他の領域に引っかかった場合等にも、使用者の手を煩わせることなく、確実に突出片部分３４’を外側に引き出すことができるという利点がある。
【００３２】
以上、本発明の好適な実施形態について詳細に説明したが、本発明は上記実施形態に限定されないことは言うまでもない。
【００３３】
例えば、上記実施形態では、カッターが蓋体前面壁に取り付けられているが、容器本体の底面壁にカッターが取り付けられた容器であっても本発明は適用可能である。
【００３４】
また、突出片は一カ所に限られず、複数箇所に設けてもよい。
【００３５】
更に、突出片部分を画成する切り線の形状も略Ｕ字状に限られず、Ｖ字状、Ｗ字状等、種々考えられる。
【００３６】
更にまた、本発明による容器により包装される被包装体は、ラップフィルムのみならず、その他の樹脂製フィルムや紙、アルミホイル等としてもよい。
【００３７】
【発明の効果】
以上述べたように、本発明によれば、ラップフィルム等の被包装体の先端部の一部が突出片の存在により本体前面壁から浮き上がった状態となるので、その先端部を容易に把持し引き出すことが可能となる。特に、被包装体の端縁の位置を見つけることが困難な状況や、目の不自由な者にとって、有効となるものである。しかも、突出片は開封により自然に突出し、その状態を維持するため、突出片を押し出す等の手間が不要であり、突出片の表面と本体前面壁の他の領域の表面とが面一になってしまうという弊害も防止される。
【００３８】
また、蓋体前面壁にカッターが取り付けられている場合、蓋体前面壁をラップフィルム等の被包装体と共に本体前面壁に押し付ける動作があるため、突出片が元の平坦な状態に戻りやすいが、そのようなタイプの包装用容器に対し、本発明は、前記の突出維持効果を有しているため、特に有効となるものとなる。
【図面の簡単な説明】
【図１】本発明による包装用容器の第１実施形態を示す斜視図であり、開蓋状態を示す図である。
【図２】図１の容器の閉蓋状態を示す斜視図である。
【図３】本体前面壁を展開して示す図１と同様な斜視図である。
【図４】図１の容器の長手方向中央における断面図である。
【図５】本発明による包装用容器の第２実施形態を示す斜視図であり、開蓋状態を示す図である。また、切除部分が除去されていない状態を示す図である。
【図６】図５の容器の閉蓋状態を示す斜視図であり、開封片の一部が除去された状態を示す図である。
【図７】図５の容器の長手方向中央における断面図であり、（ａ）は開封片除去前、（ｂ）は開封片除去直後を示す図である。
【図８】従来の包装用容器を示す斜視図である。
【符号の説明】
１０，１００…包装用容器、１２…紙管、１４…ラップフィルム（被包装体）、１６…容器本体、１８…蓋体、２０…容器本体の後面壁、２２…蓋体の前面壁、２４…カッター、２６…容器本体の前面壁、２６ａ…第１壁体、２６ｂ…第２壁体、３２（３２ａ，３２ｂ，３２ｃ）…切り線、３４…突出片、３４’…突出片部分、３６…凹部、５０…開封片、５２…切除部分、５４，５６…ミシン目。
【図１】
0004753481.tif 000002
【図２】
0004753481.tif 000003
【図３】
0004753481.tif 000004
【図４】
0004753481.tif 000005
【図５】
0004753481.tif 000006
【図６】
0004753481.tif 000007
【図７】
0004753481.tif 000008
【図８】
0004753481.tif 000009